(57)【要約】本発明は、不完了呼に対する発信者情報提供方法及び装置に関するものであり、より詳しくは、電話を受信できない不完了呼発生時に、発信者の情報を前記着信端末機に提供する発信者情報提供方法及び装置に関するものである。本発明による発信者情報提供装置は、TCAP連結部、TCAPメッセージ受信部、TCAPメッセージ分析部、不完了呼ロギング部、メッセージ通知部、制御部、メッセージサーチ部、短文メッセージ作成部、データベースブローカ、SMCI/SMPPメッセージコンストラクト部、短文メッセージディスパッチ部、SMCI/SMPP連結部を含むシステムサーバとデータベースサーバを含む。
2005528013.tif 000002
【特許請求の範囲】
【請求項１】
不完了呼に対する発信者情報を提供する発信者情報提供システムにおいて、
前記発信者情報提供システムを不完了呼情報提供装置と連結するためのTCAP連結部；
前記TCAP連結部を通じて前記不完了呼情報提供装置から不完了呼情報を受信するTCAPメッセージ受信部；
前記TCAPメッセージ受信部にて受信した不完了呼情報を分析するTCAPメッセージ分析部；
前記着信交換局から転送されてきた前記不完了呼情報を制御部に転送するメッセージ通知部；
前記不完了呼情報から抽出された発信者情報を含む短文メッセージを作成し、制御部へと転送する短文メッセージ作成部；
前記不完了呼情報を利用して前記短文メッセージを作成するよう前記短文メッセージ作成部の動作を制御し、作成された短文メッセージをSMCI/SMPPメッセージコンストラクト部へと転送する制御部；
前記制御部から転送された短文メッセージのフォーマットをSMCI/SMPP用フォーマットへと変換するSMCI/SMPPメッセージコンストラクト部；
前記SMCI/SMPPメッセージコンストラクト部から受信した短文メッセージをSMCI/SMPP連結部へ転送する短文メッセージディスパッチ部；及び
前記発信者情報提供システムを短文メッセージサービスセンターと連結するためのSMCI/SMPP連結部
を含むことを特徴とする発信者情報提供システム。
【請求項２】
前記不完了呼情報提供装置は、
ホーム位置登録機(HLR)及び着信交換局(MSC)のうちの一つであることを特徴とする請求項１に記載の発信者情報提供システム。
【請求項３】
前記発信者情報提供システムは、
前記着信交換局から転送されてきた不完了呼情報を保存するデータベースサーバ；及び
前記データベースサーバを前記発信者情報提供サーバと連結するためのデータベースブローカ；
をさらに含むことを特徴とする請求項１に記載の発信者情報提供システム。
【請求項４】
前記発信者情報提供システムは、
不完了呼ロギング時間を生成し、生成した不完了呼ロギング時間を発信者通話情報として設定した後、前記分析された不完了呼情報を前記データベースブローカを通じて前記データベースサーバに保存する不完了呼ロギング部；及び
前記着信交換局から前記着信端末機が受信可能状態だという情報を受信すると、前記着信端末機に相応する不完了呼情報をサーチするメッセージサーチ部をさらに含むことを特徴とする請求項３に記載の発信者情報提供システム。
【請求項５】
前記発信者情報提供システムは、
前記短文メッセージディスパッチ部の短文メッセージ転送内訳を前記データベースブローカを通じて前記データベースサーバに保存する短文メッセージディスパッチロギング部
をさらに含むことを特徴とする請求項３に記載の発信者情報提供システム。
【請求項６】
前記発信者情報提供システムは、IVRサーバをさらに含み、
前記IVRサーバは、
前記データベースサーバに保存された不完了呼情報をサーチするための不完了呼情報サーチ部；
サーチされた不完了呼情報を音声信号に変換するためのTTSエンジン；及び
前記不完了呼情報に含まれた発信者情報に相応する発信端末機へ呼を連結するためのコールバック部を含むことを特徴とする請求項３に記載の発信者情報提供システム。
【請求項７】
前記発信者情報提供システムは、ワップサーバをさらに含み、
前記ワップサーバは、
前記データベースサーバに保存された不完了呼情報をサーチするための不完了呼情報サーチ部；及び
前記不完了呼情報に含まれた発信者情報に相応する発信端末機へ呼を連結するためのコールバック部を含むことを特徴とする請求項３に記載の発信者情報提供システム。
【請求項８】
前記発信者情報提供システムは、
広告文句を作成する広告作成部をさらに含むことを特徴とする請求項１に記載の発信者情報提供システム。
【請求項９】
前記発信者情報提供システムは、
前記短文メッセージサービスセンター、VMS装置及びRCS装置のうち一つの装置内に備えられることを特徴とする請求項１に記載の発信者情報提供システム。
【請求項１０】
前記不完了呼情報は、
認識可能−不完了呼情報及び認識不可−不完了呼情報に分類され、前記不完了呼情報を識別するための識別情報を含むことを特徴とする請求項１に記載の携帯電話不完了呼に対する発信者情報提供システム。
【請求項１１】
前記短文メッセージは、
着信加入者番号、発信加入者番号、発信者位置情報、広告文句、通話時間情報のうち、少なくとも発信加入者番号を含むことを特徴とする請求項１に記載の携帯電話不完了呼に対する発信者情報提供システム。
【請求項１２】
不完了呼に対する発信者情報を提供する方法において、
（ａ）発信交換局が発信端末機から発信加入者番号及び着信加入者番号を含む呼連結要請情報を受信する段階；
（ｂ）前記発信交換局が前記着信加入者番号に相応する位置情報をホーム位置登録機に要請する段階；
（ｃ）前記ホーム位置登録機が前記位置情報及び前記着信端末機の不完了呼情報を抽出する段階；
（ｄ）前記ホーム位置登録機が前記不完了呼情報を含んだメッセージ作成要請信号を発信者情報提供システムに送信する段階；
（ｅ）前記発信者情報提供システムが発信者情報を含んだメッセージを作成する段階；
（ｆ）前記発信者情報提供システムが短文メッセージサービスセンターに前記メッセージの転送を要請する段階；及び
（ｇ）前記短文メッセージサービスセンターが前記着信交換局を経て前記着信端末機へと短文メッセージを送信する段階
を含むことを特徴とする発信者情報提供方法。
【請求項１３】
前記不完了呼情報が認識可能−不完了呼状態情報である場合、
前記発信者情報提供システムが前記メッセージを保存する段階；
前記着信交換局が前記着信端末機から受信可能状態情報を受信する段階；
前記発信者情報提供システムが前記ホーム位置登録機を経由して、前記着信交換局から前記受信可能状態情報を受信する段階；及び
前記発信者情報提供システムが前記着信端末機に相応する不完了呼情報を抽出する段階
がさらに含まれることを特徴とする請求項１２に記載の発信者情報提供方法。
【請求項１４】
前記不完了呼情報が認識不可−不完了呼情報である場合、
着信交換局にて着信端末機と呼連結を試図する段階；
前記呼連結が失敗する場合、前記着信交換局にて前記着信端末機に相応する認識不可−不完了呼情報を生成する段階；及び
前記着信交換局にて前記認識不可−不完了呼情報を前記発信者情報提供システムへと送信する段階
がさらに含まれることを特徴とする請求項１２に記載の携帯電話不完了呼に対する発信者情報提供方法。
【請求項１５】
前記発信者情報提供システムは、
スケジューリング機能を利用して前記着信端末機が前記メッセージを受信するまで周期的に前記メッセージを送信することを特徴とする請求項１２に記載の発信者情報提供方法。
【請求項１６】
前記メッセージは広告情報及び発信者位置情報のうち、少なくとも一つをさらに含むことを特徴とする請求項１２に記載の携帯電話不完了呼に対する発信者情報提供方法。
【請求項１７】
不完了呼に対する発信者情報を提供する方法において、
（ａ）発信交換局が発信端末機から発信加入者番号及び着信加入者番号を含む呼連結要請情報を受信する段階；
（ｂ）前記発信交換局が前記着信加入者番号に相応する着信端末機が接続した着信交換局に対するラウティング情報を着信交換局に要請する段階；
（ｃ）前記発信交換局が前記ラウティング情報を前記着信交換局から受信する段階；
（ｄ）前記発信交換局が前記着信交換局に呼連結を要請する段階；
（ｅ）前記着信交換局が前記着信端末機に相応する不完了呼情報を抽出する段階；
（ｆ）前記着信交換局が前記不完了呼情報を含んだメッセージ作成要請信号を発信者情報提供システムに送信する段階；
（ｇ）前記発信者情報提供システムが発信者情報を含んだメッセージを作成する段階；
（ｈ）前記発信者情報提供システムが短文メッセージサービスセンターに前記メッセージの転送を要請する段階；及び
（ｉ）前記短文メッセージサービスセンターが前記着信交換局を経て、前記着信端末機へと短文メッセージを送信する段階
を含むことを特徴とする発信者情報提供方法。
【請求項１８】
前記発信者情報提供システムは、
前記発信者情報提供システムに連結された知能網または別の交換局を通じて、前記メッセージ作成要請信号を受信することを特徴とする請求項１７に記載の発信者情報提供方法。
【請求項１９】
前記着信交換局は、
前記発信交換局を経由して前記不完了呼情報を含んだメッセージ作成要請信号を発信者情報提供システムに送信することを特徴とする請求項１７に記載の発信者情報提供方法。
【請求項２０】
前記不完了呼情報が認識可能−不完了呼状態情報である場合、
前記発信者情報提供システムが前記メッセージを保存する段階；
前記着信交換局が前記着信端末機から受信可能状態情報を受信する段階；
前記発信者情報提供システムが前記着信交換局から前記受信可能状態情報を受信する段階；及び
前記発信者情報提供システムが前記着信端末機に相応する不完了呼情報を抽出する段階
がさらに含まれることを特徴とする請求項１７に記載の発信者情報提供方法。
【請求項２１】
前記不完了呼情報が認識不可−不完了呼情報である場合、
着信交換局にて着信端末機と呼連結を試図する段階；
前記呼連結が失敗する場合、前記着信交換局にて前記着信端末機に相応する認識不可−不完了呼情報を生成する段階；及び
前記着信交換局にて前記認識不可−不完了呼情報を前記発信者情報提供システムへと送信する段階
がさらに含まれることを特徴とする請求項１７に記載の携帯電話不完了呼に対する発信者情報提供方法。
【請求項２２】
前記メッセージは、広告情報及び発信者位置情報のうち、少なくとも一つをさらに含むことを特徴とする請求項１７に記載の携帯電話不完了呼に対する発信者情報提供方法。
【請求項２３】
不完了呼に対する発信者情報を提供する方法において、
（ａ）発信交換局が発信端末機から発信加入者番号及び着信加入者番号を含む呼連結要請情報を受信する段階；
（ｂ）前記発信交換局が前記着信加入者番号に相応する着信端末機が接続した着信交換局に対するラウティング情報を着信交換局に連結されたローミングゲートウェイに要請する段階；
（ｃ）前記発信交換局が前記ラウティング情報を前記ローミングゲートウェイから受信する段階；
（ｄ）前記発信交換局が前記着信交換局に呼連結を要請する段階；
（ｅ）前記着信交換局が前記着信端末機に相応する不完了呼情報を抽出する段階；
（ｆ）前記着信交換局が前記不完了呼情報を含んだメッセージ作成要請信号を発信者情報提供システムに送信する段階；
（ｇ）前記発信者情報提供システムが発信者情報を含んだメッセージを作成する段階；
（ｈ）前記発信者情報提供システムが第１短文メッセージサービスセンターに前記メッセージの転送を要請する段階；及び
（ｉ）前記第１短文メッセージサービスセンターが前記ローミングゲートウェイ、第２短文メッセージセンター及び前記着信交換局を経て、前記着信端末機へと短文メッセージを送信する段階
を含むことを特徴とする発信者情報提供方法。
【発明の詳細な説明】
【技術分野】
【０００１】
本発明は、不完了呼に対する発信者情報提供方法及び装置に関するものであり、より詳しくは、電話を受信できない不完了呼発生時に、発信者の情報を前記着信端末機に提供する発信者情報提供方法及び装置に関するものである。
【背景技術】
【０００２】
現在、移動通信技術の大衆化とネットワーク技術の発展に伴い、携帯電話に関連する多様な付加サービスが提供されている。しかし、このような携帯電話の大衆化にも拘らず、発信端末機の発信が着信端末機に連結されない不完了呼が時々発生したりしている。このような不完了呼は着信端末機が電源オフ(power off)、サービス地域離脱(no page)、通話中(busy)、不在中(no answer)、着信転換、受信拒否、音声私書箱連結などの状態にあり、移動電話加入者(発信者)が通話相手(受信者)と通話を遂行できない場合を意味する。
【０００３】
このような携帯電話発信者の情報を提供することに関連し、多数の従来技術が存在している。このような従来技術には、VMS(Voice Mail Service)サービス、またはRCS(Response Calling Service)システム及び発信番号表示(CNIP、Calling Number Identification Presentation)サービスがある。
【０００４】
VMSサービスは、前記不完了呼発生により受信者が電話に出ない場合、発信者が音声メールメニューを選択したり自動的に音声メールモードに切り替わり音声を残し自身の電話番号乃至はその他伝達事項をメモする方式で、RCSサービスは不完了呼発生で受信者が電話に出ない場合、発信者が発信者携帯電話のキー入力部のボタンをクリックし発信者の電話番号を受信者に送信する方式である。
しかし、このような方式は、発信者が自身の音声を残したりボタンをクリックする行為を行わねばならないという不便があるため、受信者が電話に出ない場合、このようなサービスを利用せずにすぐに電話を切る場合が多いという問題点が指摘されている。
【０００５】
それから発信番号表示(CNIP、Calling Number Identification Presentation)サービスは、発信者が自身の有線電話機乃至携帯電話機で着信者に電話をかけた場合、前記発信者電話番号を着信者の携帯電話機に直接伝達することで以って、携帯電話機の表示部に発信者電話番号を表示するサービスを指す。しかし、このような従来のCNIPサービスは発信者電話番号を基地局、基地局制御局、交換局を経て受信者携帯電話機へリアルタイムで伝達する方式であるため、受信者の携帯電話機に信号音が鳴る場合にのみサービスが提供されるという限界がある。
従って、前記不完了呼のうち、電源OFF、サービス地域離脱、着信転換、受信拒否、音声私書箱連結の場合には、受信者携帯電話機が鳴らないことから、CNIPサービスを提供できないという問題点が提起された。
【０００６】
また、通話中である場合、または通話中待機サービスを申請していない場合には、第１発信者と通話中に第２発信者の電話については通話音が鳴らず、CNIPサービスを提供することができない。そして、受信者が通話中待機サービスを申請した場合でも、受信者が第１発信者と通話中に第２発信者に対するCNIPサービスを提供することは可能だが、第１発信者と通話中に第２発信者からの通話音が鳴っている途中に第３発信者が通話を要請した場合には、受信者の携帯電話機には第３発信者からの通話音が鳴らないため、やはりCNIPサービスを提供できないという問題点がある。
また、前記RCS、CNIPサービスは、発信者の電話番号のみを提供しているため、その他発信者の位置情報などについては、これを提供できないという問題点も併せて指摘されている。
【０００７】
本発明は、このような従来技術の問題点を解決するために案出されたものであり、不完了呼発生時に発信者の情報を前記加入者へ提供することにその目的がある。
また、本発明のまた他の目的は、不完了呼発生時、発信者のいかなる操作も無しで、容易に発信者情報を提供することにある。
また、本発明のまた他の目的は、発信者情報に発信者位置情報、広告情報などを含めて提供することにその目的がある。
また、本発明の他の目的は、HLR基盤またはMSC基盤にて効率的に発信者情報を提供できる方法及び装置を提供することにある。
また、本発明のまた他の目的は、ウェブサーバ、ワップサーバまたはIVRサーバと連係して不完了呼に対する発信者情報を提供することにある。
【発明の開示】
【０００８】
前記の目的を達成するために本発明の一側面によると、不完了呼に対する発信者情報を提供する発信者情報提供システムが提供され得る。
望ましい実施例にて、前記発信者情報提供システムは、前記発信者情報提供システムを不完了呼情報提供装置と連結させるためのTCAP連結部、前記TCAP連結部を通じ前記不完了呼情報提供装置から不完了呼情報を受信するTCAPメッセージ受信部、前記TCAPメッセージ受信部にて受信した不完了呼情報を分析するTCAPメッセージ分析部、前記着信交換局から転送された前記不完了呼情報を制御部へと転送するメッセージ通知部、前記不完了呼情報から抽出された発信者情報を含む短文メッセージを作成して制御部へと転送する短文メッセージ作成部、前記不完了呼情報を利用し前記短文メッセージを作成するべく、前記短文メッセージ作成部の動作を制御し、作成された短文メッセージをSMCI/SMPPメッセージコンストラクト部へと転送する制御部、前記制御部から転送された短文メッセージのフォーマットをSMCI/SMPP用フォーマットに変換するSMCI/SMPPメッセージコンストラクト部、前記SMCI/SMPPメッセージコンストラクト部から受信した短文メッセージをSMCI/SMPP連結部へと転送する短文メッセージディスパッチ部及び前記発信者情報提供システムを短文メッセージサービスセンターと連結するためのSMCI/SMPP連結部を含んで構成される。
【０００９】
ここで、前記不完了呼情報提供装置は、ホーム位置登録(HLR)及び着信交換局(MSC)のうちの一つによって構成され得る。
【００１０】
そして、前記発信者情報提供システムは、前記着信交換局から転送されてきた不完了呼情報を保存するデータベースサーバ及び前記データベースサーバを前記発信者情報提供サーバと連結するためのデータベースブローカをさらに含むことができる。
【００１１】
前記発信者情報提供システムは、不完了呼ロギング時間を生成し、生成した不完了呼ロギング時間を発信者通話情報として設定した後、前記分析された不完了呼情報を前記データベースブローカを通じて前記データベースサーバに保存する不完了呼ロギング部；及び
前記着信交換局から前記着信端末機が受信可能状態だという情報を受信すると、前記着信端末機に相応する不完了呼情報をサーチするメッセージサーチ部をさらに含む。
【００１２】
前記発信者情報提供システムは、前記短文メッセージディスパッチ部の短文メッセージ転送内訳を前記データベースブローカを通じて前記データベースサーバに保存する短文メッセージディスパッチロギング部をさらに含む。
【００１３】
前記発信者情報提供システムは、IVRサーバをさらに含み、前記IVRサーバは、前記データベースサーバに保存された不完了呼情報をサーチするための不完了呼情報サーチ部；サーチされた不完了呼情報を音声信号に変換するためのTTSエンジン；及び前記不完了呼情報に含まれた発信者情報に相応する発信端末機へ呼を連結するためのコールバック部を含む。
【００１４】
前記発信者情報提供システムは、ワップサーバをさらに含み、前記ワップサーバは、前記データベースサーバに保存された不完了呼情報をサーチするための不完了呼情報サーチ部；及び前記不完了呼情報に含まれた発信者情報に相応する発信端末機へ呼を連結するためのコールバック部を含む。
【００１５】
前記発信者情報提供システムは、広告文句を作成する広告作成部をさらに含む。
【００１６】
前記発信者情報提供システムは、VMS装置又はRCS装置の装置内に備えられる。
【００１７】
また、前記不完了呼情報は、認識可能−不完了呼情報及び認識不可−不完了呼情報に分類され、前記不完了呼情報を識別するための識別情報を含むことができる。
【００１８】
前記短文メッセージは、着信加入者番号、発信加入者番号、発信者位置情報、広告文句、通話時間情報のうち、少なくとも発信加入者番号を含む。
【００１９】
前記の目的を達成するために本発明の他の側面によると、不完了呼に対する発信者情報を提供する発信者情報提供方法が提供され得る。
望ましい実施例にて、前記発信者情報提供方法は、（ａ）発信交換局が発信端末機から発信加入者番号及び着信加入者番号を含む呼連結要請情報を受信する段階、（ｂ）前記発信交換局が前記着信加入者番号に相応する位置情報をホーム位置登録機に要請する段階、（ｃ）前記ホーム位置登録機が前記位置情報及び前記着信端末機の不完了呼情報を抽出する段階、（ｄ）前記ホーム位置登録機が前期不完了呼情報を含んだメッセージ作成要請信号を発信者情報提供システムに送信する段階、（ｅ）前記発信者情報提供システムが発信者情報を含んだメッセージを作成する段階、（ｆ）前記発信者情報提供システムが短文メッセージサービスセンターに前記メッセージの転送を要請する段階、（ｇ）前記短文メッセージサービスセンターが前記着信交換局を経て前記着信端末機へと短文メッセージを送信する段階を含んで構成され得る。
【００２０】
前記不完了呼情報が認識可能−不完了呼状態情報である場合、前記発信者情報提供システムが前記メッセージを保存する段階；前記着信交換局が前記着信端末機から受信可能状態情報を受信する段階；前記発信者情報提供システムが前記ホーム位置登録機を経由して、前記着信交換局から前記受信可能状態情報を受信する段階；及び前記発信者情報提供システムが前記着信端末機に相応する不完了呼情報を抽出する段階がさらに含まれる。
【００２１】
前記不完了呼情報が認識不可−不完了呼情報である場合、着信交換局にて着信端末機と呼連結を試図する段階；前記呼連結が失敗する場合、前記着信交換局にて前記着信端末機に相応する認識不可−不完了呼情報を生成する段階；及び前記着信交換局にて前記認識不可−不完了呼情報を前記発信者情報提供システムへと送信する段階がさらに含まれる。
【００２２】
前記発信者情報提供システムは、スケジューリング機能を利用して前記着信端末機が前記メッセージを受信するまで周期的に前記メッセージを送信する。
【００２３】
前記メッセージは広告情報及び発信者位置情報のうち、少なくとも一つをさらに含む。
【００２４】
望ましい別の実施例にて、前記発信者情報提供方法は、（ａ）発信者交換局が発信端末機から発信加入者番号及び着信加入者番号を含む呼連結要請情報を受信する段階、（ｂ）前記発信交換局が前期着信加入者番号に相応する着信端末機が接続した着信交換局に対するラウティング情報を着信交換局へ要請する段階、（ｃ）前記発信交換局が前記ラウティング情報を前記着信交換局から受信する段階、（ｄ）前記発信交換局が前記着信交換局に呼連結を要請する段階、（ｅ）前記着信交換局が前記着信端末機に相応する不完了呼情報を抽出する段階、（ｆ）前記着信交換局が前記不完了呼情報を含んだメッセージ作成要請信号を発信者情報提供システムに送信する段階、（ｇ）前記発信者情報提供システムが発信者情報を含んだメッセージを作成する段階、（ｈ）前記発信者情報提供システムが短文メッセージサービスセンターに前記メッセージの転送を要請する段階、（ｉ）前記短文メッセージサービスセンターが前記着信交換局を経て前記着信端末機へと短文メッセージを送信する段階を含んで構成される。
【００２５】
前記発信者情報提供システムは、前記発信者情報提供システムに連結された知能網または別の交換局を通じて、前記メッセージ作成要請信号を受信する。
【００２６】
前記着信交換局は、前記発信交換局を経由して前記不完了呼情報を含んだメッセージ作成要請信号を発信者情報提供システムに送信する。
【００２７】
前記不完了呼情報が認識可能−不完了呼状態情報である場合、前記発信者情報提供システムが前記メッセージを保存する段階；前記着信交換局が前記着信端末機から受信可能状態情報を受信する段階；前記発信者情報提供システムが前記着信交換局から前記受信可能状態情報を受信する段階；及び前記発信者情報提供システムが前記着信端末機に相応する不完了呼情報を抽出する段階がさらに含まれる。
【００２８】
前記不完了呼情報が認識不可−不完了呼情報である場合、着信交換局にて着信端末機と呼連結を試図する段階；前記呼連結が失敗する場合、前記着信交換局にて前記着信端末機に相応する認識不可−不完了呼情報を生成する段階；及び前記着信交換局にて前記認識不可−不完了呼情報を前記発信者情報提供システムへと送信する段階がさらに含まれる。
【００２９】
前記メッセージは、広告情報及び発信者位置情報のうち、少なくとも一つをさらに含む。
【００３０】
望ましいまた他の実施例にて、前記発信者情報提供方法は、（ａ）発信交換局が発信端末機から発信加入者番号及び着信加入者情報を含む呼連結要請情報を受信する段階、（ｂ）前記発信交換局が前記着信加入者番号に相応する着信端末機が接続した着信交換局に対するラウティング情報を着信交換局に連結されたローミングゲートウェイに要請する段階、（ｃ）前記発信交換局が前記ラウティング情報を前記ローミングゲートウェイから受信する段階、（ｄ）前記発信交換局が前記着信交換局に呼連結を要請する段階、（ｅ）前記着信交換局が前記着信端末機に相応する不完了呼情報を抽出する段階、（ｆ）前記着信交換局が前記不完了呼情報を含んだメッセージ作成要請信号を発信者情報提供システムに送信する段階、（ｇ）前記発信者情報提供システムが発信者情報を含んだメッセージを作成する段階、（ｈ）前記発信者情報提供システムが第１短文メッセージサービスセンターに前記メッセージの転送を要請する段階及び（ｉ）前記第１短文メッセージサービスセンターが前記ローミングゲートウェイ、第２短文メッセージセンター及び前記着信交換局を経て、前記着信端末機へ短文メッセージを送信する段階を含んで構成され得る。
【発明を実施するための最良の形態】
【００３１】
以下、添付された図面を参照して本発明の望ましい実施例を詳しく説明することにする。
【００３２】
図１は、本発明の望ましい一実施例による発信者情報提供システム及び端末機と連結構造を示した図面である。本発明はMSC基盤の発信者情報提供方法を説明したものである。
図１を参照すると、端末機(MS, Mobile Station)(100a, 100a', 100b)、基地局(BTS, Base Transceiver System)(200a, 200b)、基地局制御局(BSC, Base Station Controller)(300a, 300b)、交換局(MSC, Mobile Switching Center)(400a, 400b)、公衆電話網(PSTN, Public Switched Telephone Network)(200a')、関門局(300a')、ホーム位置登録機(HLR, Home Location Register)(500)、VMS/RCS装置(Voice Mail System/Response Calling System)(600)、付加サービス加入者DB(700)、発信者情報システム(UCS, Unfinished Call Information System)(800)及び短文メッセージサービスセンター(SMSC, Short Message Service Center)(900)を含んで構成される。
【００３３】
端末機(100a, 100a', 100b)は、移動電話加入者が移動通信サービス及び本発明による不完了呼に対する発信者情報提供サービスの提供を受けることのできる端末機を指す。そして基地局(200a, 200b)は、端末機(100a, 100a', 100b)との無線接続及び端末機(100a, 100a', 100b)と基地局制御局(300a, 300b)間の接続機能を遂行する基地局無線装置であり、基地局制御局(300a, 300b)は、基地局(200a, 200b)と交換局(400a, 400b)の間に位置し基地局管理及び制御を遂行する基地局制御装置である。
【００３４】
それから、交換局(400a, 400b)は、移動電話加入者に移動通信サービスを提供するための移動通信交換機を指し、加入者間回線交換、入出中継処理、ハンドオフなどの機能を遂行する。本発明による交換局(400a, 400b)は、訪問者位置登録機(VLR, Visitor Location Register)と連結されている。ここで、訪問者位置登録機(VLR)は、管轄領域内に他システムの端末機が進入すると、これを認知し他システムとローミングをする役割を担う。
【００３５】
以下、交換局(400a, 400b)は、訪問者位置登録機(VLR)を含むことと仮定し、説明することにする。
本発明による発信者情報提供システムは発信側システムと着信側システムとに区分することができる。
発信側システムは、発信端末機(100a, 100a')、発信基地局(200a)、発信基地局制御局(300a)、公衆電話網(200a')、関門局(GMSC, gateway mobile services switching center)(400a')、及び発信交換局(400a)を含む。そして、着信側システムは、着信端末機(100b)、着信基地局(200b)、着信基地局制御局(300a)、及び着信交換局(400b)を含む。
【００３６】
ここで、前記発信端末機(100a, 100a')は、携帯端末機(100a)及び有線端末機(100a')を含む。前記発信端末機(100a, 100a')は携帯端末機(100a)の場合、発信基地局(200a)、発信基地局制御局(300a)を経て発信交換局(400a)に連結され、前記発信端末機(100a, 100a')が有線端末機(100a')の場合、公衆電話網(200a')を経て関門局(GMSC)(300a')に連結され得る。発信端末機(100a, 100a')は、発信交換局(400a)を経て着信交換局(400b)に連結され、着信基地局制御局(300b)及び着信基地局(200b)を経て着信端末機(100b)に連結され得る。
【００３７】
以下、説明が煩雑になるのを避けるため前記発信端末機が移動端末機である場合を中心として説明することにする。
着信交換局(400b)は、着信端末機(100b)の不完了呼状態に相応する不完了呼情報を生成及び提供することができる。前記不完了呼情報は、認識可能−不完了呼情報及び認識不可−不完了呼情報を含み、発信交換局(400a)へ提供される不完了呼情報は前記不完了呼情報を識別するための識別情報を含むことができる。
前記発信交換局(400a)及び着信交換局(400b)は、ネットワーク(450)を通じてホーム位置登録機(HLR)(500)、VMS/RCS装置(600)及び短文メッセージサービスセンター(SMSC)(900)と連結することができる。
【００３８】
ここで、短文メッセージサービスセンター(SMSC)(900)が発信者情報を提供する場合を基準として説明するが、長文メッセージサービスセンターまたはマルチメディアメッセージサービスセンターを通じて発信者情報を提供することができるのは勿論である。
【００３９】
ホーム位置登録機(HLR)(500)は、着信端末機(100b)の状態情報を提供することにより、現在の通話連結可否についての状態情報を提供する機能を遂行する。ここで、HLR(Home Location Register)は、端末機の現在位置情報をはじめとし、移動加入者の状態、統計及び各種サービス関連情報を管理することができる。本発明によるとき、ホーム位置登録機(HLR)(500)は、VMS/RCS装置(600)と連係して、既存のVMSサービスまたはRCSサービスを提供することができる。そして、ホーム位置登録機(HLR)(500)は、付加サービス加入者DB(700)を参照し、前記着信端末機(100b)が不完了呼に対する発信者情報提供サービス加入者であるかどうかを判断し、前記着信端末機が不完了呼に対する情報提供サービス加入者である場合、本発明により発信者情報提供サービスを提供することができる。
【００４０】
発信者情報提供システム(UCS)(800)は、発信者情報提供サーバ(820)及びデータベースサーバ(840)を含み、ウェブサーバ／ワップサーバ(860)、IVRサーバ(880)をさらに含むことができる。
【００４１】
発信者情報提供サーバ(820)は、発信者情報を含んだ短文メッセージを生成し短文メッセージサービスセンタ(SMSC)(900)へと転送することができる。データベースサーバ(840)は、着信端末機(100b)に相応する不完了呼情報を保存する。そして、ウェブサーバ/ワップサーバ(860)またはIVRサーバ(880)は、短文メッセージではない、インターネット、または音声を通じて、不完了呼に対する発信者情報を提供することができる。
【００４２】
前記発信者情報提供システム(UCS)(800)から短文メッセージを受信した短文メッセージサービスセンター(SMSC)(900)は、前記短文メッセージを着信端末機(100b)へと転送することができる。
図１に示された本発明の望ましい一実施例による発信者情報提供システム(UCS)(800)は、ホーム位置登録機(HLR)(500)と短文メッセージサービスセンター(SMSC)(900)の間に位置する別途の外部装置として示されているが、必ずしもこれに制限されるものではなく、他装置の内部に含まれるように構成されたり、他装置と連係して動作するように構成することも可能である。
【００４３】
他装置の内部に含まれるように構成される望ましい実施例によるとき、発信者情報提供システム(UCS)(800)は、上記短文メッセージサービスセンター(SMSC)(900)内に含まれるよう構成することもでき(図５ｃ参照)、前記VMS/RCS装置(600)内に含まれるよう構成することもできる(図５ｄ参照)。
他装置と連係して構成される望ましい実施例によるとき、発信者情報提供システム(UCS)(800)は、知能網(IN, Intelligent Network)(970)と連動して動作したり、他の交換局(960)と連係して動作するように構成することもできる(図３ａ及び図３ｂ参照)。そして、発信者情報提供システム(UCS)(800)は、ローミングゲートウェイ(RGW, Roaming GateWay)(950)を通じて他の事業者網、3G(3 Generation)網などと連動して動作することができる。
【００４４】
下記の表１を参照すると、本発明による不完了呼の種類が示されている。
【表１】
2005528013.tif 000003
【００４５】
ここで、認識可能−不完了呼情報とは、交換局(MSC)またはホーム位置登録機(HRL)において着信端末機との呼連結が不可能な不完了呼状態であることが認識できる不完了呼情報を指す。認識可能−不完了呼情報は、電源オフ、着信転換、受信拒否、音声私書箱連結及びサービス地域離脱を含む。ここで、電源オフ(power off)は、受信者の携帯電話機の電源が切れた状態であり、サービス地域離脱は、携帯電話機が移動通信会社による通話サービスが不可能な地域に位置している場合を指す。また、着信転換とは、受信者が受信携帯電話機に電話がかかってくる場合に指定された他の電話機へ信号が行くように着信を転換してある場合であり、受信拒否とは、受信者が電話の受信を拒否するように自身の携帯電話機を設定してある場合である。それから、音声私書箱連結とは、受信者が電話がかかってくる場合に自動的に音声私書箱へと連結されるように設定してある場合を指す。
【００４６】
認識不可−不完了呼情報とは、交換局(MSC)またはホーム位置登録機(HLR)において着信端末機に呼連結信号を試図した後になって初めて着信または通話が不可能な状態であることを認識できる情報を指す。すなわち、着信または通話可能であると判断される場合でも、実際に着信または通話連結を遂行することができない場合が発生し得る。正常でない原因で端末機が終了される場合、一時的に着信不可である場合など、多様な理由で着信が不可能な場合が発生し得る。このような認識不可−不完了呼情報は、通話中、不在中などを含む。通話中とは、受信携帯電話機が他発信者と通話中である場合で、不在中とは、受信者が不在中で電話に出ない場合である。
【００４７】
本発明による不完了呼情報提供方法及び装置において、不完了呼情報はホーム位置登録機(HLR)で提供するよう構成することもでき、着信交換局(MSC)で直接提供するよう構成することもできる。以下、ホーム位置登録機(HLR)基盤での発信者情報提供手順と交換局(MSC)基盤の発信者情報提供手順を分けて説明することにする。また、不完了呼情報を提供することができるホーム位置登録機(HLR)または着信交換局(MSC)を通称して、不完了呼情報提供装置と称することにする。
【００４８】
HLR基盤発信者情報提供手順
前記発信情報システム(UCS)(800)から短文メッセージを受信した短文メッセージサービスセンター(SMSC)(900)は、前記短文メッセージを着信端末機(100b)へと転送することができる。本発明による場合、前記着信端末機(100b)へと短文メッセージを転送する方式を大きく３つの方式に具現することができる。
【００４９】
本発明の第１実施例によるとき、前記発信情報システム(UCS)(800)は、不完了呼に対する発信者情報を保存している中、端末機状態登録機(HLR/VLR)(500)から前記着信端末機(100b)が短文メッセージを受信することができる状態だという情報を受信すると、前記短文メッセージサービスセンター(SMSC)(900)へと送信し、前記短文メッセージサービスセンター(SMSC)(900)は受信した短文メッセージを転送するためキューに保存した後、順次に前記短文メッセージを着信交換局(400b)を経て着信端末機(100b)へと送信することができる。
【００５０】
本発明の第２実施例によるとき、前記短文メッセージサービスセンター(SMSC)(900)はスケジューリング機能を利用し、短文メッセージに対し周期的に着信端末機(100b)へと短文メッセージが正常に転送されるまで、数回繰り返して続けざまに送信するよう構成することができる。
【００５１】
本発明が前記第１実施例及び第２実施例に限定されず、該当技術分野において通常の知識を持った者であれば本発明を多様に修正及び変更することができるのは当然である。以下、第１実施例乃至第２実施例を添付図面を参照し詳細に説明することにする。
【００５２】
第１実施例
図２ａ及び図２ｂは、本発明の望ましい第１実施例によるHLR基盤発信者情報提供手順を示した順序図である。
以下、図２を参照して本発明の望ましい第１実施例による不完了呼に対する発信者情報提供方法を詳細に説明することにする。
【００５３】
段階S201で着信端末機(100b)が着信交換局(400b)に連結されると、段階S204で着信交換局(400b)は前記着信端末機(100b)の位置情報をホーム位置登録機(HLR)(500)に送信する。段階S207でホーム位置情報登録機(HLR)(500)は受信した位置情報を利用し前記着信端末機(100b)の位置を登録する。
【００５４】
それから、段階S209で着信交換局(400b)は着信端末機(100b)から認識可能−不完了呼情報を受信すると、段階S211で交換局(400b)は前記認識可能−不完了呼情報をホーム位置登録機(HLR)(500)に送信する。段階S213でホーム位置登録機(HLR)(500)は受信した前記認識可能−不完了呼情報を保存する。
【００５５】
段階S214で発信端末機(100a, 100a')は発信加入者番号及び着信加入者番号を含んだ呼連結情報を発信交換局(400a)へと送信し、呼連結を要請する。前記呼連結要請情報は発信端末機(100a, 100a')の位置情報をさらに含むことができる。
【００５６】
ここで、前記発信端末機(100a, 100a')は、携帯端末機(100a)及び有線端末機(100a')を全て含む。前記発信端末機(100a, 100a')が携帯端末機(100a)である場合、加入者番号はMIN(Mobile Identification Number)を指し、前記呼連結要請情報は端末機製造番号(ESN, Electronic Serial Number)をさらに含むことができる。
【００５７】
段階S217で発信交換局(400a)は、ホーム位置登録機(HLR)(500)に着信端末機に対する位置情報を要請すると、段階S219でホーム位置登録機(HLR)(500)は着信端末機(100b)の認識可能−不完了呼情報を抽出し、着信端末機(100b)が認識可能な不完了呼状態であるかどうかを判断する。前記着信端末機(100b)の状態が認識可能な不完了呼状態なら、段階S237で発信者情報提供システム(UCS)(800)に発信者情報を含んだ短文メッセージの作成を要請する。また、前記着信端末機(100b)の状態が認識可能な不完了呼状態でなければ段階S221へと進む。
【００５８】
まず、認識可能−不完了呼情報である場合の不完了呼に対する発信者情報提供手順を説明することにする。
段階S237で発信交換局(400a)は、発信者情報提供システム(UCS)(800)に発信者情報を含んだ短文メッセージの作成を要請する。段階S239で発信者情報提供システム(UCS)(800)は、発信者情報を含んだ短文メッセージを作成し、前記作成した短文メッセージを保存する。
【００５９】
ここで、発信情報システム(CUS)(800)は、不完了呼情報から少なくとも発信加入者番号を含んだ発信者情報を抽出し、前記発信者情報を含んだ短文メッセージを作成する。
ここで、前記短文メッセージ情報は、発信者情報の他に発信者位置情報をさらに含むことができる。また、前記短文メッセージはサービス提供者、提携業体乃至その他業体に対する広告文句を追加で含むことができる。
【００６０】
前記エディティングされる短文メッセージの総容量は、好ましくは80バイトであるが、これに制限されるものではなく、容量拡張が可能である。また、本発明の一実施例によるとき、前記短文メッセージは広告情報を含むように構成することができる。また、発信情報システム(UCS)(800)が作成した短文メッセージを保存することにおいて、前記短文メッセージ情報は発信情報システム(UCS)(800)内部にデータベースを含んでこれを通じて保存するように構成することができる。これにより、本発明のシステムはその内部にIVR(Interactive Voice Responseサーバ、WAP(Wireless Application Protocol)サーバ、WEBサーバを追加で備え、IVR(Interactive Voice Response)システム、WAP(Wireless Application Protocol)システム、WEBシステムなどの通信媒体を利用し使用者が前記データベースに保存された短文メッセージ情報を照会/検索できるよう構成することができる。
【００６１】
それから、段階S241で着信交換局(400b)が着信端末機(100b)から受信可能状態情報を受信すると、段階S244で受信可能状態情報をホーム位置登録機(HLR)(500)へと送信する。段階S245においてホーム位置登録機(HLR)(500)は、前記受信可能状態情報を発信者情報提供システム(UCS)(800)に送信する。段階S247で発信者情報提供システム(UCS)(800)は、前記着信端末機(100b)に相応するメッセージを抽出した後、段階S271で短文メッセージサービスセンター(SMSC)(900)に抽出したメッセージに対する転送を要請する。
【００６２】
段階S274において短文メッセージサービスセンター(SMSC)(900)は、着信交換局(400b)を経て着信端末機(100b)へと短文メッセージを転送すると、段階S277で着信端末機(100b)はメッセージを受信した後、メッセージ受信結果情報を生成する。そして、段階S279で着信端末機(100b)はメッセージ受信結果情報を着信交換局(400b)、短文メッセージサービスセンター(SMSC)(900)を経て発信者情報提供システム(UCS)(800)へと送信すると、段階S281で発信者情報提供システム(UCS)(800)は着信端末機(100b)の受信結果を保存する。
【００６３】
以下、認識不可−不完了呼状態である場合の不完了呼に対する発信者情報提供手順を説明することにする。
段階S223で発信交換局(400a)及び着信交換局(400b)間に呼が連結されると、段階S251で発信交換局(400a)は、着信交換局(400b)に対する呼連結を試図する。段階S254で着信交換局(400b)は、前記試図期間が所定の時間を経過すると、着信または通話不可であることを認識し、段階S255で認識不可−不完了呼情報を生成する。ここで、認識不可不完了呼情報は、不在中(no answer)、通話中(busy)、などを指す。
【００６４】
段階S257で着信交換局(400b)は生成した認識不可−不完了呼情報をホーム位置登録機(HLR)(500)へ送信すると、段階S259でホーム位置登録機(HLR)(500)は発信者情報提供システム(UCS)(800)に発信者情報を含んだ短文メッセージの作成を要請する。
段階S261で発信者情報提供システム(UCS)(800)は発信者情報を含んだ短文メッセージを作成し、段階S271で短文メッセージサービスセンター(SMSC)(900)に作成したメッセージに対する転送を要請する。この後の段階は、認識可能−不完了呼状態の場合の短文メッセージ転送方法と同一であるため、省略することにする。
【００６５】
第２実施例
図３は、本発明の望ましい第２実施例によるHLR基盤発信者情報提供手順を示した順序図である。
HLR基盤の発信者情報提供方法の第１実施例によるとき、着信端末機(100b)が受信可能状態である時に短文メッセージが転送されるように構成される。しかし、第２実施例によるとき、短文メッセージサービスセンター(SMSC)(900)のスケジューリング機能を利用して前記着信端末機(100b)が受信可能であるかどうかを判断せずに短文メッセージを送信するよう構成することができる。
【００６６】
以下、図３を参照し本発明の第２実施例による不完了呼に対する発信者情報提供手順を説明することにする。ここで、図２ａ及び図２ｂと同一または類似した部分は、その説明を省略することにする。
【００６７】
前記第１実施例の段階S201乃至S217と同一の段階を経た後、段階S319でホーム位置登録機(HLR)(500)は着信端末機(100b)の認識可能−不完了呼情報を抽出し、着信端末機(100b)が認識可能な不完了呼状態であるかどうかを判断する。
【００６８】
前記着信端末機(100b)の状態が認識可能な不完了呼状態なら、段階S359で発信者情報提供システム(UCS)(800)に発信者情報を含んだ短文メッセージの作成を要請する。そして、前記着信端末機(100b)の状態が認識可能な不完了呼状態でなければ、段階S321へ進む。
【００６９】
まず、認識可能−不完了呼状態である場合の不完了呼に対する発信者情報提供手順を説明することにする。段階S359で発信交換局(400a)は、発信者情報提供システム(UCS)(800)に発信者情報を含んだ短文メッセージの作成を要請する。段階S361で発信者情報提供システム(UCS)(800)は発信者情報を含んだ短文メッセージを作成し、段階S371で短文メッセージサービスセンター(SMSC)(900)に前記短文メッセージに対する転送を要請する。
【００７０】
認識不可−不完了呼状態である場合の不完了呼に対する発信者情報提供手順は以下の通りである。段階S323で発信交換局(400a)及び着信交換局(400b)間に呼が連結されると、段階S351乃至段階S357で第１実施例の段階S251乃至段階S257で説明した手順を踏んだ後、段階S371で短文メッセージサービスセンター(SMSC)(900)に前記短文メッセージに対する転送を要請する。
【００７１】
ここで、短文メッセージサービスセンター(SMSC)(900)は前記不完了呼情報の種類を区分せず、前記短文メッセージサービスセンターに連結されたデータベースに前記短文メッセージ情報を保存する。ここで、前記短文メッセージサービスセンター(SMSC)(900)に保存された短文メッセージ情報を照会／検索できるように構成することができる。
【００７２】
段階S381及び段階S385で前記短文メッセージサービスセンター(SMSC)(900)がスケジューリング機能を利用し着信交換局(400b)、着信基地局制御局(300b)、着信基地局(200b)を経て着信端末機(100b)へ前記短文メッセージを転送する。ここで、短文メッセージサービスセンター(SMSC)(900)のスケジューリング機能とは、転送される短文メッセージに対して一定期間を限度に所定の時間間隔を置いて着信端末機(100b)へと短文メッセージが正常に転送されるまで、数回繰り返して着信端末機(100b)へ続けざまに送信する機能を言う。例えば、前記期間は一日に設定することができ、前記時間間隔は最初の所定回数の間は１分間隔に、次の所定回数の間は１時間間隔に、次の所定回数の間は３時間間隔に設定することが可能である。着信端末機(100b)が短文メッセージを正常に受信した場合には転送を中断する。
【００７３】
この他の説明は、図２ａの第１実施例に類似するため、その説明を省略することにする。
【００７４】
MSC基盤発信者情報提供手順
本発明は、MSC基盤において不完了呼に対する発信者情報を提供する方法及び装置に関するものである。すなわち、既存のHLR基盤において提供される発信者情報提供方法には、必ずHLRを通して不完了呼情報を提供せねばならないという問題点がある。しかし、本発明によるとき、着信端末機が属する交換局において直接不完了呼情報を受信するように構成することで以って、より迅速且つ効率的に不完了呼システムを構成することができる。
【００７５】
本発明による発信者情報提供方法は、次のような３つの実施例によって具現することができる。
本発明の第１実施例によるとき、前記発信者情報提供システム(UCS)(800)は、独立的に具現され不完了呼に対する発信者情報を提供することができる。
本発明の第２実施例によるとき、前記発信者情報提供システム(UCS)(800)は、知能網と連動して使用されたり、その他IVRサーバなどを含み他交換機と連動して不完了呼に対する発信者情報を提供することができる。
本発明の第３実施例によるとき、前記発信者情報提供システム(UCS)(800)は、発信側システムと着信側システムがローミングゲートウェイ(RGW, Roaming Gateway)を通じて連結された網で、前記ローミングゲートウェイ(RGW)を通じて不完了呼に対する発信者情報を提供することができる。ここで、ローミングゲートウェイ(RGW)は、本発明による発信者情報提供システム(UCS)(800)が備わった網を別の事業者網と整合する機能を遂行する装置である。
以下、上述した実施例に基づき、本発明による不完了呼情報に対する発信者情報提供手順を詳細に説明することにする。
【００７６】
第１実施例
図４ａ及び図４ｂは、本発明の望ましい第１実施例によるMSC基盤発信者情報提供手順を示した順序図である。
以下、図４ａ及び図４ｂを参照し本発明の望ましい第１実施例による不完了呼に対する発信者情報提供方法を詳細に説明することにする。
【００７７】
段階S401で着信端末機(100b)が着信交換局(400b)に連結されると、段階S404で着信交換局(400b)は前記着信端末機(100b)の位置情報をホーム位置登録機(HLR)(500)に送信する。段階S407でホーム位置登録機(HLR)(500)は、受信した位置情報を利用して前記着信端末機(100b)の位置を登録する。
【００７８】
そして、段階S409で着信交換局(400b)は、着信端末機(100b)から認識可能−不完了呼情報を受信すると、段階S411で前記不完了呼情報を保存する。ここで、前記着信交換局(400b)は、認識可能−不完了呼情報をホーム位置登録機(HLR)(500)へと送信する段階をさらに含むよう構成することができる。
【００７９】
段階S414で発信端末機(100a, 100a')は、発信加入者番号及び着信加入者番号を含んだ呼連結情報を発信交換局(400a)へ送信し、呼連結を要請する。前記呼連結要請情報は発信端末機(100a, 100a')の位置情報をさらに含むことができる。
【００８０】
ここで、前記発信端末機(100a, 100a')は、携帯端末機(100a)及び有線端末機(100a')を全て含む。前記発信端末機(100a, 100a')が携帯端末機(100a)である場合、加入者番号はMIN(Mobile Identification Number)を指し、前記呼連結要請情報は端末機製造番号(ESN, Electronic Serial Number)をさらに含むことができる。
【００８１】
段階S417で発信交換局(400a)はホーム位置登録機(HLR)(500)に着信交換局(400b)に対するラウティング情報を要請すると、段階S419でホーム位置登録機(HLR)(500)は着信交換局(400b)に前記着信交換局(400b)に対するラウティング情報を要請する。段階S421で着信交換局(400b)はラウティング情報を抽出した後、段階S423及び段階S427で前記ラウティング情報をホーム位置登録機(HLR)(500)を経て発信交換局(400a)へ送信する。
【００８２】
以後、発信交換局(400a)は、前記ラウティング情報を利用し着信交換局(400b)に接続することができるので、段階S429で発信交換局(400a)は着信交換局(400b)に呼連結を要請する。
段階S431で着信交換局(400b)は、前記呼連結要請に相応して着信端末機(100b)の認識可能−不完了呼情報を抽出し、着信端末機(100b)が認識可能な不完了呼状態であるかどうかを判断する。前記着信端末機(100b)の状態が認識可能な不完了呼状態なら、段階S434で前記不完了呼情報を発信交換局(400a)へと送信する。そして、前記着信端末機(100b)の状態が認識可能な不完了呼状態ではない場合、段階S451で着信端末機(100b)に対する呼連結を試図する。
【００８３】
まず、認識可能−不完了呼状態である場合の不完了呼に対する発信者情報提供手順を説明することにする。
段階S434で発信交換局(400a)は、着信交換局(400b)から不完了呼情報を受信すると、段階S437で発信者情報提供システム(UCS)(800)に発信者情報を含んだ短文メッセージの作成を要請する。段階S439で発信者情報提供システム(UCS)(800)は、発信者情報を含んだ短文メッセージを作成し、前記作成した短文メッセージを保存する。
【００８４】
そして段階S441で着信交換局(400b)が着信端末機(100b)から受信可能状態情報を受信すると、段階S444で受信可能状態情報を発信者情報提供システム(UCS)(800)へと送信する。段階S447で発信者情報提供システム(UCS)(800)は、前記着信端末機(100b)に相応するメッセージを抽出した後、段階S471で短文メッセージサービスセンター(SMSC)(900)に抽出したメッセージへ対する転送を要請する。
【００８５】
段階S474で短文メッセージサービスセンター(SMSC)(900)は着信交換局(400b)を経て着信端末機(100b)へ短文メッセージを転送すると、段階S477で着信端末機(100b)はメッセージを受信した後、メッセージ受信結果情報を生成する。そして、段階S479で着信端末機(100b)は、メッセージ受信結果情報を着信交換局(400b)、短文メッセージサービスセンター(SMSC)(900)を経て発信者情報提供システム(UCS)(800)へと送信すると、段階S481で発信者情報提供システム(UCS)(800)は着信端末機(100b)の受信結果を保存する。
【００８６】
以下、認識不可−不完了呼状態である場合の不完了呼に対する発信者情報提供手順を説明することにする。
段階S451で着信交換局(400b)は、着信交換局(400b)に対する呼連結を試図する。段階S454で着信交換局(400b)は、前記試図期間が所定の時間を経過すると、着信または通話付可であることを認識し、段階S455で認識不可−不完了呼情報を生成する。ここで、認識不可−不完了呼情報は、不在中(no answer)、通話中(busy)、などを指す。
【００８７】
段階S457で着信交換局(400b)は、生成した認識不可−不完了呼情報を発信交換局(400a)へと送信すると、段階S459で発信交換局(400a)は、発信者情報提供システム(UCS)(800)に発信者情報を含んだ短文メッセージの作成を要請する。発信者情報提供システム(800)は、段階S261で発信者情報を含む短文メッセージを作成し、該メッセージを短文メッセージサーボスセンター(SMSC)(900)に送信することを要請する。この後の段階は、認識可能−不完了呼の段階と同一である。
【００８８】
ここで、前記着信交換局(400b)は発信交換局(400a)を経ずに、直接発信者情報提供システム(UCS)(800)に発信者情報を含んだ短文メッセージの作成を要請するよう構成することができるのは当然である。
【００８９】
段階S461で発信者情報提供システム(UCS)(800)は発信者情報を含んだ短文メッセージを作成し、段階S471で短文メッセージサービスセンター(SMSC)(900)に作成したメッセージに対する転送を要請する。この後の段階は認識可能−不完了呼状態である場合の短文メッセージ転送方法と同一であるため、省略することにする。
【００９０】
第２実施例
図５ａ及び図５ｂは、本発明の望ましい第２実施例によるMSC基盤発信者情報提供手順を示した順序図である。
【００９１】
本発明の第２実施例によるとき、前記発信者情報提供システム(UCS)(800)は知能網(IN)(970)と連動して動作したり、その他IVRサーバなどを備えて他の交換局(960)と連動して動作することができる。これにより本発明のシステムは、その内部にIVR(Interactive Voice Response)サーバ(880)、ワップ(WAP, Wireless Application Protocol)サーバまたはWEBサーバ(860)などを備えて、データーベースサーバ(840)に保存された不完了呼に対する発信者情報を照会及び検索できるように構成することができる。
【００９２】
以下、図５ａ及び図５ｂを参照して本発明の第３実施例による不完了呼に対する発信者情報提供手順を説明するにあたり、図５ａ及び図５ｂの第１実施例と比較して相異する部分を中心に説明することにする。
【００９３】
認識可能−不完了呼状態である場合、不完了呼に対する発信者情報提供手順のうち段階S537で発信者交換局(400a)は、知能網(IN)(970)または交換局(960)を経て発信者情報提供システム(UCS)(800)に発信者情報を含んだ短文メッセージの作成を要請する。
また、認識不可−不完了呼状態である場合の不完了呼に対する発信者情報提供手順のうち段階S559で発信交換局(400a)は知能網(IN)(970)または交換局(960)を経て発信者情報提供システム(UCS)(800)に発信者情報を含んだ短文メッセージ作成を要請する。その他の説明は、図２ａ及び図２ｂで説明した第１実施例と類似するため、その説明を省略することにする。
【００９４】
第３実施例
図６ａ及び図６ｂは、本発明の望ましい第３実施例によるMSC基盤発信者情報提供手順を示した順序図である。
【００９５】
本発明の第３実施例によるとき、前記発信者情報提供システム(UCS)(800)は、発信側システムと着信側システムがローミングゲートウェイ(RGW, Roaming Gateway)によって連結される時、前記ローミングゲートウェイ(RGW)を通じて不完了呼に対する発信者情報を提供することができる。本発明の第３実施例によるとき、本発明による発信者情報提供システム(UCS)(800)が備わった網の短文メッセージサービスセンターと別途の短文メッセージサービスセンターが他の事業者網内に備えられることもある。以下、本発明による発信者情報提供システム(UCS)(800)が備えられた網の短文メッセージサービスセンターを第１短文メッセージサービスセンターと称することにし、他の事業者網に備えられた短文メッセージサンターを第２短文メッセージサービスセンターと称することにする。
【００９６】
以下、図６ａ及び図６ｂを参照し本発明の第３実施例による不完了呼に対する発信者情報提供手順を説明するにあたり、図５ａ及び図５ｂの第１実施例と比較して相異する部分を中心に説明することにする。
【００９７】
段階S601で着信端末機(100b)が着信交換局(400b)に連結される場合、段階S604で着信交換局(400b)は前記着信端末機(100b)の位置情報をローミングゲートウェイ(RGW)(950)に送信すると、段階S605でローミングゲートウェイ(RGW)(950)は前記着信端末機の位置情報を前記ローミングゲートウェイ(RGW)(950)で保存しているという情報の登録をホーム位置登録機(HLR)(500)に要請する。段階S607でホーム位置登録機(HLR)(500)は、前記情報を登録する。
【００９８】
そして、段階S609で着信交換局(400b)は、着信端末機(100b)から認識可能−不完了呼情報を受信すると、段階S611で前記不完了呼情報を保存する。
段階S614で発信端末機(100a, 100a')は発信加入者番号及び着信加入者番号を含んだ呼連結情報を発信交換局(400a)へと送信し、呼連結を要請する。
【００９９】
段階S617で発信交換局(400a)はホーム位置登録機(HLR)(500)に着信交換局(400b)に対するラウティング情報を要請すると、段階S619でホーム位置登録機(HLR)(500)は、ローミングゲートウェイ(RGW)(950)に前記着信交換局(400b)に対するラウティング情報を要請する。段階S621でローミングゲートウェイ(RGW)(950)は着信交換局(400b)に対するラウティング情報を抽出した後、段階S623及び段階S627で前記ラウティング情報をホーム位置登録機(HLR)(500)を経て発信交換局(400a)へと送信する。
【０１００】
以後、発信交換局(400a)は、前記ラウティング情報を利用して着信交換局(400b)に接続することができるので、段階S629で発信交換局(400a)は着信交換局(400b)に呼連結を要請する。
段階S631で着信交換局(400b)は前記呼連結要請に相応して、着信端末機(100b)の認識可能−不完了呼情報を抽出し、着信端末機(100b)が認識可能な不完了呼状態であるかどうかを判断する。
【０１０１】
前記着信端末機(100b)の状態が認識可能な不完了呼状態なら、段階S634で前記不完了呼情報を発信交換局(400a)へと送信する。そして、前記着信端末機(400b)の状態が認識可能な不完了呼状態でない場合、段階S651で着信端末機(100b)に対する呼連結を試図する。
【０１０２】
まず、認識可能−不完了呼状態である場合の不完了呼に対する発信者情報提供手順を説明することにする。
段階S634で発信交換局(400a)は着信交換局(400b)から不完了呼情報を受信すると、段階S637で発信者情報提供システム(UCS)(800)に発信者情報を含んだ短文メッセージの作成を要請する。段階S639で発信者情報提供システム(UCS)(800)は発信者情報を含んだ短文メッセージを作成し、前記作成した短文メッセージを保存する。
【０１０３】
そして、段階S641で着信交換局(400b)が着信端末機(100b)から受信可能状態情報を受信すると、段階S644で受信可能状態情報をローミングゲートウェイ(RGW)(950)を経て発信者情報提供システム(UCS)(800)へと送信する。段階S647で発信者情報提供システム(UCS)(800)は前記着信端末機(100b)に相応するメッセージを抽出した後、段階S671で第１短文メッセージサービスセンター(SMSC)(900)に抽出したメッセージに対する転送を要請する。
【０１０４】
段階S674で第１短文メッセージサービスセンター(SMSC)(900)はローミングゲートウェイ(RGW)(950)、第２短文メッセージサービスセンター及び着信交換局(400b)を経て着信端末機(100b)へ短文メッセージを転送すると、段階S677で着信端末機(100b)はメッセージを受信した後、メッセージ受信結果情報を生成する。そして、段階S679で着信端末機(100b)はメッセージ受信結果情報をロミングゲートウェイ(RGW)(950)、第２短文メッセージサービスセンター、着信交換局(400b)、第１短文メッセージサービスセンター(SMSC)(900)を経て発信者情報提供システム(UCS)(800)へと送信すると、段階S681で発信者情報提供システム(UCS)(800)は着信端末機(100b)の受信結果を保存する。
【０１０５】
以下、認識不可−不完了呼状態である場合の不完了呼に対する発信者情報提供手順を説明することにする。
段階S651で着信交換局(400b)は着信交換局(400b)に対する呼連結を試図する。段階S654で着信交換局(400b)は前記試図期間が所定の時間を経過すると、着信または通話不可であることを認識し、段階S615で認識不可−不完了呼情報を生成する。認識不可−不完了呼状態は、通話中(busy)、不在中(no answer)を含む。
【０１０６】
段階S657で着信交換局(400b)は生成した認識不可−不完了呼情報をローミングゲートウェイ(RGW)(950)を経て発信交換局(400a)へと送信すると、段階S659で発信交換局(400a)は発信者情報提供システム(UCS)(800)に発信者情報を含んだ短文メッセージの作成を要請する。
ここで、前記着信交換局(400b)は発信交換局(400a)を経ず、直接発信者情報提供システム(UCS)(800)に発信者情報を含んだ短文メッセージの作成を要請するよう構成することができるのは当然である。
【０１０７】
段階S661で発信者情報提供システム(UCS)(800)は発信者情報を含んだ短文メッセージを作成し、段階S671で第１短文メッセージサービスセンター(SMSC)(900)に作成したメッセージに対する転送を要請する。この後の段階は、認識可能−不完了呼状態である場合の短文メッセージ転送方法と同一であるため省略することにする。
その他の説明は、図４ａ及び図４ｂで説明したMSC基盤の第１実施例と類似するため、その説明を省略することにする。
【０１０８】
本発明が上述した第１実施例乃至第３実施例に限定されず、該当技術分野において通常の知識を持った者であれば、本発明を多様に修正及び変更することができるのは当然である。
【０１０９】
例えば、上記では、不完了呼情報の種類を基準に短文メッセージ転送手順を区分し、説明した。
【０１１０】
しかし、不完了呼情報を区分せずに、前記短文メッセージサービスセンター(SMSC)(900)がスケジューリング機能を利用して着信交換局(400b)、着信基地局制御局(300b)、着信基地局(200b)を経て、着信端末機(100b)へと前記短文メッセージを転送するように構成することができる。
【０１１１】
発信者情報システムの構成
図７は、本発明の望ましい一実施例による発信者情報提供システム(UCS)(800)の内部構成を示した図面である。図８では、本発明による発信者情報提供システム(UCS)(800)が別途の外部装置に構成される場合を基準に発信者情報提供システム(UCS)(800)の内部構成を詳細に説明することにする。
【０１１２】
図７を参照すると、本発明による発信者情報提供システム(UCS)(800)は、発信者情報提供サーバ(820)とデータベースサーバ(840)を包む。
前記発信者情報提供サーバ(820)は、着信交換局(400b)及び短文メッセージサービスセンター(SMSC)(900)と連結される。そして、前記発信者情報提供サーバ(820)は、TCAP連結部(821)、TCAPメッセージ受信部(822)、TCAPメッセージ分析部(823)、不完了呼ロギング部(824)、メッセージ通知部(825)、制御部(826)、メッセージサーチ部(827)、短文メッセージ作成部(829)、データベースブローカ(Database Broker; 830)、SMCI/SMPPメッセージコンストラクト部(831)、短文メッセージディスパッチ部(832)、SMCI/SMPP連結部(834)を含んで構成される。また、前記発信者情報提供サーバ(820)は、広告作成部(828)、加入者情報受信部(835)、短文メッセージディスパッチロギング部(833)を追加で含むことができる。
【０１１３】
前記TCAP連結部(821)は、着信交換局(400b)またはホーム位置登録機(HLR)(500)などを含む不完了呼情報提供装置と発信者情報提供サーバ(820)を連結する。前記TCAP連結部(821)は、前記着信交換局(400b)のVLRやSS7のようなプロトコルを基準に予め設定されたパラメータ情報に従って信号及びデータを送受信することができる。TCAP連結部(821)は、前記SS7プロトコルを構成するモジュールのうちの一つであるトランザクション機能アプリケーション部、すなわちTCAP(Transaction Capabilities Application Part)を通じて着信交換局(400b)との連結を設定してデータ受信を行えるようにする。
【０１１４】
前記TCAPメッセージ受信部(822)は前記TCAP連結部(821)を通じて不完了呼情報を受信し、前記TCAPメッセージ分析部(823)は前記TCAPメッセージ受信部(822)が受信した不完了呼情報を分析する。
前記不完了呼ロギング部(824)は、分析された不完了呼情報をデータベースブローカ(830)を通じてデータベースサーバ(840)に保存するようロギングする。また、不完了呼ロギング時間を生成するにおいて、発信者の通話要請から前記ロギングまでの過程は、ほとんどリアルタイムで成されるため、前記ロギング時間を発信者の通話時間として扱うことが可能であり、これを発信者通話時間情報としてデータベースサーバ(840)に保存する。
【０１１５】
前記メッセージ通知部(825)は、着信交換局(400b)から転送されてきた不完了呼情報をシステムの制御部(826)へ転送する。特に、メッセージ通知部(825)は、着信交換局(400b)から転送されてきた不完了呼情報の種類に相応して、制御部(826)をして短文メッセージの転送要請を待機状態になるようにさせ、前記着信端末機(100b)が受信可能状態であるという情報を受信した後に、短文メッセージの転送を要請するように制御する。
【０１１６】
メッセージサーチ部(827)は、着信端末機(100b)が受信可能状態であるという情報を受信した場合、待機状態にある該当不完了呼に対する発信加入者番号及び不完了呼ロギング時間などのデータをサーチする。
【０１１７】
広告作成部(828)は、短文メッセージに一緒に含まれ広報効果を上げることのできる広告文句を作成する。短文メッセージ作成部(829)は、不完了呼情報から短文メッセージを作成し、制御部(826)へ送信する。前記短文メッセージは、発信加入者番号だけでなく、着信加入者番号、発信者位置情報、広告文句、通話時間情報を含む単一電文として作成することができる。
【０１１８】
前記制御部(826)は、不完了呼情報を利用して短文メッセージを作成するべく、メッセージサーチ部(827)、広告作成部(828)、短文メッセージ作成部(829)の動作を制御し、作成された短文メッセージをSMCI/SMPPメッセージコンストラクト部(831)へと転送する。また、制御部(826)は、不完了呼のうち、着信端末機(100b)への接続自体が不可能であるサービス地域離脱及び電源OFFなどのような認識可能−不完了呼状態の場合、上述したように、短文メッセージの発送を保留した後、受信可能状態情報を受信してから、データベースサーバ(840)に保存された不完了呼情報をメッセージサーチ部(827)を通じてサーチし、短文メッセージを転送することができる。
【０１１９】
それから、認識可能−不完了呼状態の場合には、メッセージ通知部(825)から転送されてきた不完了呼情報から直に短文メッセージを転送するよう構成することができる。
【０１２０】
SMCI/SMPPメッセージコンストラクト部(831)は、制御部(826)から転送された短文メッセージのフォーマットを短文メッセージサービスセンター(SMSC)(900)との連結に使用するプロトコルであるSMCI乃至SMPPに適したフォーマットへとフォーマット転換を行う。
【０１２１】
短文メッセージディスパッチ部(832)は、SMCI/SMPPメッセージコンストラクト部(831)からのフォーマット転換された短文メッセージをSMCI/SMPP連結部へと転送する。そして、短文メッセージディスパッチロギング部(834)は、短文メッセージディスパッチ部(832)が短文メッセージを転送した事実をデータベースブローカ(830)を通じてデータベースサーバ(840)に保存する。
【０１２２】
SMCI/SMPP連結部(833)は、短文メッセージサービスセンター(SMSC)(900)との連結に使用されるプロトコルであるSMCI乃至SMPPへの通路として発信者情報提供サーバ(820)を短文メッセージサービスセンター(SMSC)(900)に連結し、作成された短文メッセージを短文メッセージサービスセンター(SMSC)(900)へと伝達する。
【０１２３】
加入者情報受信部(835)は、付加サービス加入者データベース(700)から、性別、年齢、住所など発信者情報提供付加サービスに加入した着信者に関する情報の転送を受け、データベースブローカ(830)を通じてデータベースサーバ(840)に保存する。保存された加入者情報は、広告作成部(828)によりデータベースサーバ(840)から抽出され、着信者に適した広告文句を作成する資料として活用される。
【０１２４】
データベースサーバ(840)は、ホーム位置登録機(HLR)(500)から転送されてきた不完了呼情報、不完了呼ロギング部(827)で作成した通話時間情報、加入者情報受信部(835)からの加入者情報を保存し、他の構成要素の要請時、必要な情報を抽出、提供する。
【０１２５】
データベースブローカ(830)は、発信者情報提供サーバ(820)とデータベースサーバ(840)間の連結通路である。
【０１２６】
発信者情報提供システム(UCS)(800)から短文メッセージを受信した短文メッセージサービスセンター(SMSC)は着信交換局(400b)を経て、前記着信端末機(100b)へと前記短文メッセージを転送することができる。
本発明による発信者情報提供システム(UCS)(800)は、ワップサーバまたはウェブサーバ(860)を追加で含むことができる。
【０１２７】
図７を参照すると、これを簡略化してWAP/WEBサーバ(860)として示してあり、WAP/WEBサーバ(860)は、無線または有線インターネットを通じて使用者に不完了呼通信に対する発信者情報を提供することができる。ワップ/ウェブサーバ(860)は、該当使用者にかかってきた累積した不完了呼情報をデータベースサーバからサーチした後、サーチした累積不完了呼情報を使用者に提供することができる。
【０１２８】
また、本発明の発信者情報提供システム(UCS)(800)はIVRサーバ(Interactive Voice Response)(880)を追加で含み、使用者が要求する事項をデータベースサーバ(840)から検索した後、音声合成または音声組合せの方法を利用して対話形態で使用者に提供することができる。前記IVRサーバ(880)もまた、該当使用者にかかってきた累積した不完了呼情報をデータベースサーバ(840)からサーチした後、サーチした累積不完了呼情報を使用者に提供する音声を通じて提供することができる。
【０１２９】
図８ａ乃至図８ｃは、本発明の望ましい別の実施例による発信者情報提供システム(UCS)(800)の設置様態及び内部構成を示した図面である。
図８ａを参照すると、本発明の発信者情報システム(UCS)(800')が短文メッセージサービスセンター(SMSC)(900)の一部構成要素として含まれるように構成されていることが分かる。それから、図８ｂを参照すると、本発明による発信者情報システム(UCS)(800')が、RCS乃至VMS(図面ではこれを簡略化し、VMS/RCSとして表示し、図面符号600で表示する)の一部構成要素として含まれるように構成されていることが分かる。
【０１３０】
ここで、発信者情報提供システム(UCS)(800')は、ホーム位置登録機(HLR)(500)または着信交換機(400b)から直接不完了呼情報を受信したり、ローミングゲートウェイ(RGW)(950)、他の交換機(960)または知能網(IN)(970)を経由して不完了呼情報を受信することができる。
【０１３１】
図８ｃを参照すると、前記図９ａ及び図９ｂのように構成された場合、発信者情報提供システム(UCS)(800')の簡略化された構成図が示されている。
【０１３２】
図９ｃの構成図は、短文メッセージサービスセンター(SMSC)(900)は、スケジューリング機能によるメッセージ転送によってのみ発信者情報を提供するよう構成することで以って、発信者情報システムの構成要素を大幅に簡略化することができる。すなわち、着信端末機(100b)の不完了呼状態を区分せずに着信データを制御部(826')から短文メッセージサービスセンター(SMSC)(900)へ情報を直に転送し、スケジューリング機能により発信者情報を転送する場合、情報の保存と関連した不完了呼ロギング部、メッセージサーチ部、データベースサーバのような構成要素は省略が可能である。
【０１３３】
すなわち、本発明の発信者情報システム(UCS)(800')をTCAP連結部(821')、TCAPメッセージ受信部(822')、TCAPメッセージ分析部(823')、メッセージ通知部(825')、制御部(826')、短文メッセージ作成部(829')だけを含む発信者情報提供サーバ(820')として構成することができる。
【０１３４】
前記各構成要素の構成及び機能は、上で説明した発信者情報提供システム(UCS)(800)と同一であるため、仔細な説明は省略する。
【０１３５】
上述した不完了呼に対する発信者情報提供サービスは、無線移動通信加入者に対する付加サービスとして提供することが可能である。すなわち、本発明の発信者提供方法サービスを付加サービスメニューとして設定し、着信者が発信者提供付加サービスに加入する場合、加入情報を付加サービス加入者DB(700)にこれを登録し、これをホーム位置登録機(HLR)(500)及び発信者情報提供システム(UCS)(800)へと転送する。
【０１３６】
従って、本発明は、不完了呼発生時、前記ホーム位置登録機(HLR)(500)は、着信端末機(100b)が発信情報提供サービスに加入しているかどうかを判断し、加入している場合にのみ、前記通話情報及び状態情報を発信者情報提供システム(UCS)(800)へと転送する段階を含むように構成することができる。
【０１３７】
図９は、本発明の望ましい一実施例にIVRサーバの構成を示した図面である。
本発明によるIVRサーバ(860)は、IVRサーバ制御部(861)、不完了呼情報サーチ部(865)、TTSエンジン(867)、コールバック部(869)、ボイス情報保存部(871)、データベースブローカ(863)、ボイスXMLエンジン(873)及びシナリオ作成部(875)を含むことができる。
【０１３８】
不完了呼情報サーチ部(865)は、データベースブローカ(863)を通じてデータベースサーバ(840)に保存された不完了呼情報をサーチすることができる。サーチされた不完了呼情報はTTSエンジン(867)を通じて音声情報に変換され、着信端末機(100b)へ提供される。また、ボイス情報保存部(871)は、発信者情報以外の案内情報などを含んだボイス情報を保存する。
【０１３９】
IVRサーバ制御部(861)は、ボイスXMLエンジン(873)に設定されたプログラムを基準として両方向音声応答手順を遂行し、前記シナリオ作成部(875)を利用してボイスXMLエンジン(837)に設定されたプログラムを修正することができる。
【０１４０】
着信端末機(100b)から発信端末機(100a)へと呼連結を要請する場合、コールバック部(869)は、不完了呼情報に含まれた発信端末機加入者番号を利用して、発信端末機(100b)へと呼連結を遂行する。
【０１４１】
図１０は、本発明の望ましい一実施例にウェブ/ワップサーバの構成を示した図面である。
本発明による発信者情報提供システムは、ウェブサーバまたはワップサーバをさらに含むことができる。ウェブサーバは、有線インターネットを接続した端末機を通じて使用者に不完了呼に対する発信者情報を提供するための装置であり、ワップサーバは、無線インターネットに接続した端末機を通じて使用者に不完了呼情報を提供するための装置である。
【０１４２】
以下、図７を参照し、ワップサーバの構成を詳細に説明することにする。
【０１４３】
本発明によるワップサーバ(880)は、ワップサーバ制御部(881)、不完了呼情報サーチ部(885)、データベースブローカ(883)、コールバック部(889)を含み、広告作成部(893)をさらに含むことができる。
【０１４４】
不完了呼情報サーチ部(885)は、データベースブローカ(883)を通じてデータベースサーバ(840)に保存された不完了呼情報をサーチすることができる。
【０１４５】
そして、前記ワップサーバ(880)に接続した着信端末機(100b)において前記不完了呼情報を利用して発信端末機(100a)へ呼連結を要請する場合、コールバック部(889)は、不完了呼情報に含まれた発信端末機加入者情報を利用して、発信端末機(100b)へと呼連結を遂行する。
【０１４６】
また、ワップサーバ(880)は、広告作成部(893)を備え、前記ワップサーバ(880)に接続した端末機に広告を提供することができる。
【０１４７】
ワップサーバ制御部(881)は、不完了呼情報サーチ部(885)、データベースブローカ(883)、コールバック部(889)を含み、広告作成部(893)を有機的に制御し、上述した動作が成されるように制御する。
【産業上の利用可能性】
【０１４８】
前記では、本発明の望ましい実施例を参照して説明したが、これは発明の理解のためのものであって、その制限のためのものではないことを理解するであろう。また、該当技術分野において通常の知識を持った者であれば、下記の特許請求範囲に記載された本発明の思想及び領域から外れない範囲内で、本発明を多様に修正及び変更することができるのが分かるであろう。
上記のような本発明は、不完了呼発生時、発信者のいかなる操作もなしで、容易に発信者電話番号、発信者位置情報など、発信者情報を受信者携帯電話機に提供するシステムを提供することができる。
【０１４９】
発信者の音声録音乃至キーボタン操作を要求するVMS/RCSサービスの短所と不完了呼発生時にサービスが提供されないCNIPサービスの短所を同時に克服できるという効果がある。
【０１５０】
また、本発明はMSC基盤またはHLR基盤のうち一つの基盤で動作するように構成することで以って、より効率的に不完了呼に対する発信者情報を提供することができる。
【０１５１】
また、本発明は発信者情報に発信者位置情報、広告情報などを含み提供することで以って広報効果を上げる効果もある。
【０１５２】
また、本発明は、ウェブサーバ、ワップサーバまたはIVRサーバと連係して不完了呼に対する発信者情報を提供することができる。
【図面の簡単な説明】
【０１５３】
【図１】本発明の望ましい一実施例による発信者情報提供システム及び端末機間の連結構造を示した図面である。
【図２ａ】本発明の望ましい第１実施例によるHLR基盤発信者情報提供手順を示した順序図である。
【図２ｂ】本発明の望ましい第１実施例によるHLR基盤発信者情報提供手順を示した順序図である。
【図３】本発明の望ましい第３実施例によるHLR基盤発信者情報提供手順を示した順序図である。
【図４ａ】本発明の望ましい第１実施例によるMSC基盤発信者情報提供手順を示した順序図である。
【図４ｂ】本発明の望ましい第１実施例によるMSC基盤発信者情報提供手順を示した順序図である。
【図５ａ】本発明の望ましい第２実施例によるMSC基盤発信者情報提供手順を示した順序図である。
【図５ｂ】本発明の望ましい第２実施例によるMSC基盤発信者情報提供手順を示した順序図である。
【図６ａ】本発明の望ましい第３実施例によるMSC基盤発信者情報提供手順を示した順序図である。
【図６ｂ】本発明の望ましい第３実施例によるMSC基盤発信者情報提供手順を示した順序図である。
【図７】本発明の望ましい一実施例による発信者情報提供システムの構成を示した図面である。
【図８ａ】本発明の望ましい他の実施例による発信者情報提供システムの構成を示した図面である。
【図８ｂ】本発明の望ましい他の実施例による発信者情報提供システムの構成を示した図面である。
【図８ｃ】本発明の望ましい他の実施例による発信者情報提供システムの構成を示した図面である。
【図９】本発明の望ましい一実施例にIVRサーバの構成を示した図面である。
【図１０】は、本発明の望ましい一実施例にワップサーバの構成を示した図面である。
【符号の説明】
【０１５４】
100a, 100a', 100b：端末機(MT, Mobile Terminal)
200a, 200b：基地局(BTS, Base Transceiver System)
300a, 300b：基地局制御局(BSC, Base Station Controller)
400a, 400b：交換局(MSC, Mobile Switching Center)
800：発信者情報提供システム(UCS, Unfinished Call Information System)
900：短文メッセージサービスセンター(SMSC, Short Message Service Center)
820：発信者情報提供サーバ
840：データベースサーバ
860：ウェブサーバ/ワップサーバ
880：IVRサーバ
【図１】
2005528013.tif 000004
【図２ａ】
2005528013.tif 000005
【図２ｂ】
2005528013.tif 000006
【図３】
2005528013.tif 000007
【図４ａ】
2005528013.tif 000008
【図４ｂ】
2005528013.tif 000009
【図５ａ】
2005528013.tif 000010
【図５ｂ】
2005528013.tif 000011
【図６ａ】
2005528013.tif 000012
【図６ｂ】
2005528013.tif 000013
【図７】
2005528013.tif 000014
【図８ａ】
2005528013.tif 000015
【図８ｂ】
2005528013.tif 000016
【図８ｃ】
2005528013.tif 000017
【図９】
2005528013.tif 000018
【図１０】
2005528013.tif 000019
【国際調査報告】
2005528013.tif 000020
2005528013.tif 000021